(57)【要約】　　　（修正有）【課題】　エージング電圧が最も高い緑色セルのエージング電圧を低めて絶縁状態が破壊することを防止し、各放電セルの動作範囲の偏差を減らすことにより、モジュール動作電圧の調節余裕を増幅させ得るようにする。【解決手段】　緑色蛍光体が設けられた放電セルのエージング電圧及びモジュールでの動作電圧が他の蛍光体に比べ高くて、エージング工程中に各電極間の絶縁状態が破壊される虞があり、モジュールでの赤色、緑色、青色、そして、白色電圧領域の共通領域の白色電圧が狭くなる問題点が解決され得るように、維持電極、アドレス電極、誘電膜又は隔壁の形状を変形して、緑色蛍光体が設けられた放電セルのエージング電圧を低めるから、誘電体絶縁破壊の可能性を減少させ、白色を安定的に示すためのマージン電圧の最小値を低めて、モジュールでの白色電圧マージンを増加させる。【選択図】　図６ａ
2004095559.tif 000002
【特許請求の範囲】
【請求項１】
赤色蛍光体が設けられた放電セルに第１幅に形成された第１アドレス電極と、
　青色蛍光体が設けられた放電セルに第２幅に形成された第２アドレス電極と、
　緑色蛍光体が設けられた放電セルに前記第１幅と第２幅より更に広い幅に形成された第３アドレス電極とを含んで構成されたプラズマディスプレイパネル。
【請求項２】
前記第１幅と第２幅は同じ幅であることを特徴とする請求項１記載のプラズマディスプレイパネル。
【発明の詳細な説明】
【技術分野】
【０００１】
　本発明は平板形表示装置に関し、特に、プラズマディスプレイパネルに関する。
【背景技術】
【０００２】
　プラズマディスプレイパネルと液晶表示装置（ＬＣＤ：Liquid Crystal Display）は平板形表示装置のうち最も実用性の高い次世代表示装置として脚光を浴びている。特に、プラズマディスプレイパネルは液晶表示装置より輝度が高く、視野角が広いため、屋外広告塔、又は壁かけ用テレビ及び劇場用ディスプレイ装置のように薄型の大型ディスプレイ装置としての応用性が高い。
【０００３】
　一般的な３電極面放電方式のプラズマディスプレイパネルは、図１ａに示すように、互いに対向して設けられた上部基板１０と下部基板２０とが合着して構成される。図１ｂは図１ａに示すプラズマディスプレイパネルの断面構造を示すものであって、説明の便宜のために下部基板２０面が９０°回転したものを示している。
【０００４】
　上部基板１０は互いに平行に形成されたスキャン電極１６、１６′とサステーン電極１７、１７′、そして、前記スキャン電極１６、１６′とサステーン電極１７、１７′を塗布する誘電層１１、及び保護膜１２から構成され、下部基板２０はアドレス電極２２、アドレス電極２２を含む基板の全面に形成された誘電体膜２１、アドレス電極２２の間の誘電体膜２１上に形成された隔壁２３、そして、各放電セル内の隔壁２３及び誘電体膜２１の表面に形成された蛍光体２４から構成される。前記上部基板１０と下部基板２０との間の空間はヘリウム（Ｈｅ）、キセノン（Ｘｅ）などの不活性ガスが混合され、３００乃至７００Ｔｏｒｒ程度の圧力で満たされて放電領域を形成している。
【０００５】
　スキャン電極１６、１６′とサステーン電極１７、１７′は各放電セルの光透過率を高めるために、図２ａと図２ｂに示すように、透明電極１６、１７及び、金属から成ったバス電極１６′、１７′から構成されている。図２ａはサステーン電極１７、１７′とスキャン電極１６、１６′の平面図であり、図２ｂはサステーン電極１７、１７′とスキャン電極１６、１６′の断面図である。バス電極１６′、１７′は外部に設けられた駆動ＩＣから放電電圧が印加され、透明電極１６、１７はバス電極１６′、１７′に印加された放電電圧が伝達されて隣接した透明電極１６、１７の間に放電を起こす。透明電極１６、１７全体の幅は略３００μｍ程度で酸化インジューム又は酸化錫から成り、バス電極１６′、１７′はクロム（Ｃｒ）−銅（Ｃｕ）−クロム（Ｃｒ）から成った３層の薄膜又は銀（Ag）から成る。この際、バス電極１６′、１７′ラインの幅は略透明電極１６、１７ラインの１／３程度の幅に設定される。
【０００６】
　このような３電極面放電方式のＡＣ型プラズマディスプレイパネルの動作は図３ａ乃至図３ｄに示す通りである。まず、アドレス電極とスキャン電極との間に駆動電圧が印加されると、図３ａのようにアドレス電極とスキャン電極との間に対向放電が起こり、この対向放電によって放電セル内の不活性ガスから放出した電子の中一部が図３ｂに示すように保護層の表面に衝突する。このような電子の衝突によって保護層の表面から２次的に電子が放出される。そして、２次放出した電子はプラズマ状態のガスと衝突して放電を拡散させる。アドレス電極とスキャン電極との間の対向放電が終わると、図３ｃに示すように、アドレス電極とスキャン電極上の保護層の表面にそれぞれ反対極性の壁電荷が生成される。
【０００７】
　そして、スキャン電極とサステーン電極に互いに極性の反対の放電電圧が持続的に印加されると共に、アドレス電極に印加されていた駆動電圧が遮断されると、図３ｄに示すように、スキャン電極とサステーン電極間の電位差によって、誘電層と保護層の表面の放電領域で面放電が起こる。このような対向放電と面放電によって、放電セルの内部の電子が放電セル内部の不活性ガスと衝突する。その結果、不活性ガスが励起されつつ、放電セル内に１４７ｎｍの波長を有する紫外線が発生する。このような紫外線がアドレス電極と隔壁の周囲を囲む蛍光体と衝突してプラズマディスプレイパネルが動作する。
【０００８】
　プラズマディスプレイパネルの製造工程は以下の通りである。まず、図４ａに示すように、上部基板と下部基板をそれぞれ形成し、図４ｂに示すように、上部基板と下部基板とを合着させ、基板の縁部を密封する。そして、図４ｃに示すように、密封した基板に排気管５０を設置して、上部基板と下部基板とが合着した放電空間の空気を排出させ、その代わりに不活性ガスを注入する。その後、不活性ガスが注入された放電セルに初期放電を起こしてエージング工程を行い、チップオフ工程で排気管を除去することでプラズマディスプレイパネルを完成する。ここで、エージング工程はプラズマディスプレイパネルが安定的に動作するまで放電セルを持続的に放電させる工程である。
【０００９】
　従来の技術によるエージング工程を行うために各放電セルの電極に印加するエージング電圧は、正常の動作電圧より５０乃至２００ボルト（Ｖ）程度更に高く、パネルが大きいほど更に高くなる。また、エージング電圧は、図５に示すように、赤色蛍光体が形成された放電セルと緑色蛍光体が形成された放電セル、そして、青色蛍光体が形成された放電セルでそれぞれ異なり、特に、緑色でのエージング電圧が最も高くて、誘電体絶縁破壊の可能性が高い。
【００１０】
　また、赤色を示すためのエージング電圧と緑色を示すためのエージング電圧、そして、青色を示すためのエージング電圧が少しずつ異なり、特に、白色を示すためのエージング電圧は他の色を示すためのエージング電圧に比べ遙かに高くて、赤色、緑色、青色及び白色に対するモジュールでの適正電圧領域が非常に狭くなる。その理由は、同一放電電圧が全ての放電セルに印加された場合、緑色蛍光体が形成された放電セルの発光時点が他の蛍光体が形成された放電セルの発光時点より遅くて、他の蛍光体の発光にも拘わらず緑色蛍光体が発光しないことがあるため、白色を示すためのエージング電圧は少なくとも緑色蛍光体の発光電位より更に高い電位となるべきであるからである。
【００１１】
　前述したように、従来のプラズマディスプレイパネルは高いエージング電圧によって電極間の絶縁状態が破壊されパネルを使用できない場合が発生し、モジュール動作電圧の余裕が少なくてモジュールの誤動作が発生する虞があった。
【発明の開示】
【発明が解決しようとする課題】
【００１２】
　本発明は上記の問題点を解決するためのもので、エージング電圧が最も高い緑色セルのエージング電圧を低めて絶縁状態が破壊することを防止し、各放電セルの動作範囲の偏差を減らすことにより、モジュール動作電圧の調節余裕を増幅させ得るようにしたプラズマディスプレイパネルを提供することにその目的がある。
【課題を解決するための手段】
【００１３】
　上記目的を達成するための本発明によるプラズマディスプレイパネルの第１実施例は、赤色蛍光体と緑色蛍光体及び青色蛍光体が設けられた各放電セルにそれぞれ形成されたアドレス電極と、アドレス電極に直交するように形成され、赤色蛍光体が設けられた放電セルには第１幅から成り、緑色蛍光体が設けられた放電セルには第２幅から成り、青色蛍光体が設けられた放電セルには第３幅から成る維持電極とを含んで構成されることを特徴とする。
【００１４】
　上記目的を達成するための本発明によるプラズマディスプレイパネルの第２実施例は、赤色蛍光体が設けられた放電セルに第１幅に形成された第１アドレス電極と、青色蛍光体が設けられた放電セルに第２幅に形成された第２アドレス電極と、緑色蛍光体が設けられた放電セルに前記第１幅と第２幅より更に広い幅に形成された第３アドレス電極とを含んで構成されたことを特徴とする。
【００１５】
　上記目的を達成するための本発明によるプラズマディスプレイパネルの第３実施例は、赤色蛍光体が設けられた放電セルに第１幅に形成された第１アドレス電極と、青色蛍光体が設けられた放電セルに第２幅に形成された第２アドレス電極と、緑色蛍光体が設けられた放電セルに第３幅に形成された配線と、前記配線の一部に一定の間隔を置いて前記第３幅より広い幅に形成された複数個の電極とから成る第３アドレス電極とを含んで構成されることを特徴とする。
【００１６】
　上記目的を達成するための本発明によるプラズマディスプレイパネルの第４実施例は、赤色蛍光体と緑色蛍光体及び青色蛍光体が設けられた各放電セルにそれぞれ形成されたアドレス電極と、アドレス電極を塗布するように形成され、赤色蛍光体が設けられた放電セルには第１厚さから成り、緑色蛍光体が設けられた放電セルには第２厚さから成り、青色蛍光体が設けられた放電セルには第３厚さから成る誘電膜とを含んで構成されることを特徴とする。
【００１７】
　上記目的を達成するための本発明によるプラズマディスプレイパネルの第５実施例は、赤色蛍光体が設けられた放電セルの第１アドレス電極と青色蛍光体が設けられた放電セルの第２アドレス電極との間に形成された第１隔壁と、第１隔壁と所定の第１間隔を置いて、緑色蛍光体が設けられた放電セルの第３アドレス電極と第１アドレス電極との間に形成された第２隔壁と、そして、第２隔壁と第１間隔より更に大きい第２間隔を置いて、第３アドレス電極に隣接した第４アドレス電極と第３アドレス電極との間に形成された第３隔壁とを含んで構成されることを特徴とする。
【００１８】
　上記目的を達成するための本発明によるプラズマディスプレイパネルの第６実施例は、赤色蛍光体が設けられた第１放電セルの第１アドレス電極と青色蛍光体が設けられた第２放電セルの第２アドレス電極との間に形成された第１隔壁と、緑色蛍光体が形成された第３放電セルの第３アドレス電極と第１アドレス電極との間に、第１放電セルの側は突出し、第３放電セルの側は陥没するように形成された第２隔壁と、そして、第３アドレス電極に隣接した第４アドレス電極と第３アドレス電極との間に形成された第３隔壁とを含んで構成されることを特徴とする。
【発明の効果】
【００１９】
　本発明の第１乃至第６実施例によるプラズマディスプレイパネルは以下のような効果が得られる。第一、従来のプラズマディスプレイパネルに比べ緑色蛍光体が設けられた放電セルの荷電粒子が他の蛍光体が設けられた放電セルより更に多く発生するため、緑色蛍光体が設けられた放電セルの放電電圧を他の蛍光体が設けられた放電セルの放電電圧と殆ど同じように維持でき、その結果、緑色蛍光体が設けられた放電セルのエージング電圧が低くなることで電極間の絶縁破壊の可能性が減少する。
【００２０】
　第二、各放電セルを発光させるエージング電圧間の偏差を減らすことにより、白色を安定的に示すためのマージン電圧の最小値が低くなり、モジュールでの赤色、緑色、青色、そして、白色電圧領域の共通領域の白色電圧マージンが増加して、回路の調節範囲が広くなる。
【発明を実施するための最良の形態】
【００２１】
　以下、本発明の第１乃至第６実施例によるプラズマディスプレイパネルを添付の図６ａ乃至図１３を参照しながら詳細に説明する。
（第１実施例）
　本発明の第１実施例によるプラズマディスプレイパネルを添付の図６ａと図６ｂ、そして、図６ｃに基づいて説明する。
【００２２】
　アドレス電極１０１、１０２、１０３は下部基板（図示せず）上に一定の間隔を置いて形成され、隔壁１１０は一定の大きさの放電セルを成すようにアドレス電極１０１、１０２、１０３の間毎に形成されている。このようなアドレス電極１０１、１０２、１０３及び隔壁１１０は従来のプラズマディスプレイパネルと同様であり、詳しい説明は省略する。
【００２３】
　本発明の主要特徴部である維持電極１２０、１２０′の幅は不均一であって、特に、緑色蛍光体が設けられた放電セルを通る維持電極１２０、１２０′部分の幅は他の蛍光体が設けられた放電セルを通る部分の幅より更に広い。そして、緑色蛍光体が設けられた放電セルを通る維持電極１２０、１２０′の幅は他の蛍光体が設けられた放電セルを通る部分の最も狭い幅の１．２５倍以内であることが好ましい。この際、赤色蛍光体が設けられた放電セルを通る維持電極１２０、１２０′の幅と、青色蛍光体が設けられた放電セルを通る維持電極１２０、１２０′の幅とは互いに異なることがあるが、同じ幅で形成しても良い。
【００２４】
　即ち、本発明によるプラズマディスプレイパネルはアドレス電極１０１、１０２、１０３に直交するよう各放電セルにわたって形成された一対の維持電極１２０、１２０′と、緑色蛍光体を通る維持電極１２０、１２０′の一部分に一定の幅に突出した突出部１２２、１２２′、１２３、１２３′を含んで構成されている。この際、突出部は図６ａに示すように、アドレス電極１０１、１０２、１０３と一対の維持電極１２０、１２０′とが交差して構成された放電領域の中心部の方向に互いに対応するように形成されることができ、図６ｂに示すように放電領域の外郭方向に互いに対応するように形成されることもできる。また、図６ｃに示すように、両方向に形成されることもできる。その結果、緑色蛍光体が設けられた放電セルを通る維持電極１２０、１２０′の幅が他の蛍光体が設けられた放電セルを通る維持電極１２０、１２０′の幅より更に広くなる。この際、突出部１２２、１２２′、１２３、１２３′の突出した幅は維持電極１２０、１２０′全体の幅の３０％以内であることが好ましい。
【００２５】
　緑色蛍光体が設けられた放電セルを通る維持電極１２０、１２０′の幅が他の蛍光体が設けられた放電セルを通る維持電極１２０、１２０′の幅より更に広くなると、バス電極１２１、１２１′を介して印加された放電電圧によって、緑色蛍光体が設けられた放電セルに荷電粒子が更に多く発生する。従って、緑色蛍光体が設けられた放電セルのプライミング効果（priming effect)が他の蛍光体が設けられた放電セルより更に高くなる。その結果、同一放電電圧が全ての放電セルに印加された場合、緑色蛍光体が設けられた放電セルの電界が他の蛍光体が設けられた放電セルの電界より更に強くなるから、緑色蛍光体の発光率が高くなる。
【００２６】
　（第２実施例）
　本発明の第２実施例によるプラズマディスプレイパネルの構造を図７に基づいて説明する。本発明によるプラズマディスプレイパネルの第１アドレス電極２０１は下部基板２００で赤色蛍光体が設けられた放電セルに形成され、第２アドレス電極２０２は青色蛍光体が設けられた放電セルに形成され、第３アドレス電極２０３は緑色蛍光体が設けられた放電セルに形成されるが、前記第３アドレス電極２０３の幅は他の蛍光体が設けられた放電セルに形成されたアドレス電極に比べ更に広く形成されている。そして、各放電セルは隔壁２１０により区分されている。この際、第１アドレス電極２０１と第２アドレス電極２０２は同じ大きさ、又は相違の大きさに形成され得るが、必ず第３アドレス電極１０３は他のアドレス電極に比べ更に広い幅に形成されるべきである。
【００２７】
　本発明によるプラズマディスプレイパネルの動作原理は次の通りである。各アドレス電極（図示せず）に放電電圧が印加されると、維持電極（図示せず）と各アドレス電極との間で放電が起こる。この際、第１アドレス電極２０１と第２アドレス電極２０２が形成された放電セルより第３アドレス電極２０３が形成された放電セルに荷電粒子が更に多く形成される。その理由は、第３アドレス電極２０３の幅が第１アドレス電極２０１と第２アドレス電極２０２より広いからである。
【００２８】
　電極の幅が広いと電界の形成領域が広くなり、同一電圧で発生する荷電粒子の量が多くなる。従って、第３アドレス電極２０３が形成された放電セル、つまり、緑色蛍光体が形成された放電セルのプライミング効果が他の蛍光体が設けられた放電セルより更に高くなる。その結果、同一放電電圧が全ての放電セルに印加された場合、緑色蛍光体が設けられた放電セルの電界が他の蛍光体が設けられた放電セルの電界より更に強くなるから、緑蛍蛍光体の発光率が高くなる。
【００２９】
　（第３実施例）
　本発明の第３実施例によるプラズマディスプレイパネルの構造を図８に基づいて説明する。本発明によるプラズマディスプレイパネルの第３アドレス電極３０３は一定の幅に形成された配線と、配線の一部に一定の間隔を置いて配線の幅より広い幅に形成された複数個の電極３０３′とを含んで構成されている。即ち、第１及び第２アドレス電極３０１、３０２の幅より狭い幅に形成された配線上に、その配線より広い幅に形成された電極３０３′を含んで構成されている。この際、配線の一部に形成された複数個の電極それそれの幅は第１アドレス電極３０１と第２アドレス電極３０２の幅より更に広い。特に、第３アドレス電極３０３の配線に形成されたそれぞれの電極は、図８に示すように、上部基板の維持電極と配線とが交差する部分に構成されることが好ましい。
【００３０】
　本発明の動作原理は以下の通りである。第３アドレス電極３０３配線に印加された放電電圧によって、第３アドレス電極３０３配線に形成された各電極と上部基板の維持電極との間に電界が形成され、緑色蛍光体が形成された放電セルに放電が起こる。この際、第３アドレス電極３０３配線に形成された各電極の幅は第１、２アドレス電極の幅より広いため、第３アドレス電極３０３配線から構成された放電セルの荷電粒子が他のアドレス電極から構成された放電セルより更に多く形成される。それによって、第３アドレス電極３０３配線から構成された放電セル、つまり、緑色蛍光体が形成された放電セルのプライミング効果が他の蛍光体が設けられた放電セルより更に高くなる。　結局、同一放電電圧が全ての放電セルに印加された場合、緑色蛍光体が設けられた放電セルの電界が他の蛍光体が設けられた放電セルの電界より更に強くなるから、緑色蛍光体の発光率が高くなる。
【００３１】
　（第４実施例）
　本発明の第４実施例によるプラズマディスプレイパネルの構造を図９に基づいて説明する。本発明によるプラズマディスプレイパネルは赤色蛍光体と緑色蛍光体及び青色蛍光体が設けられた放電セルにそれぞれ形成されたアドレス電極４１０と、アドレス電極４１０を塗布するように形成され、赤色蛍光体が設けられた放電セルには第１厚さから成り、緑色蛍光体が設けられた放電セルには第２厚さから成り、青色蛍光体が設けられた放電セルには第３厚さから成った誘電膜４２０とを含んで構成されている。
【００３２】
　アドレス電極４１０はプラズマディスプレイパネルの下部基板４００上に一定の間隔を置いて形成され、その構造は従来のプラズマディスプレイパネルのものと同一である。誘電膜４２０はアドレス電極４１０を塗布するように形成されるが、エージング電圧が最も高い放電セルに最も薄く形成される。即ち、プラズマディスプレイパネルの全ての放電セルのうち、エージング電圧が最も高い放電セルは緑色蛍光体が形成された放電セルであるから、本発明の誘電膜４２０は緑色蛍光体が形成された放電セルに最も薄い厚さに形成される。この際、青色蛍光体と赤色蛍光体が形成された放電セルの誘電膜４２０は同じ厚さに形成されることが好ましいが、他の目的のために異なるように形成しても良い。
【００３３】
　また、本発明の誘電膜４２０は一定の厚さに下部基板４００上に形成され、全てのアドレス電極４１０を塗布する第１誘電膜と、赤色蛍光体と青色蛍光体が設けられた放電セルの第１誘電膜の上にのみ形成された第２誘電膜とから構成されることもできる。即ち、緑色蛍光体が設けられた放電セルは他の蛍光体が設けられた放電セルと異なって第２誘電膜が形成されてないため、他の蛍光体が設けられた放電セルに比べアドレス電極４１０上の誘電膜の厚さが薄くなる。
【００３４】
　本発明の動作原理は以下の通りである。下部基板４００上の各アドレス電極４１０に放電電圧が印加されると、維持電極（図示せず）と各アドレス電極４１０との間で放電が起こる。この際、第１厚さと第２厚さの誘電膜４２０が塗布されているアドレス電極４１０が設けられた放電セルより第２厚さの誘電膜４２０が塗布されているアドレス電極４１０が設けられた放電セルに荷電粒子が更に多く形成される。その理由は、誘電膜４２０の厚さによって各放電セルのキャパシタンス値が異なり、各放電セルの電界強度が前記誘電膜４２０の厚さにより左右されるからである。
【００３５】
　同一電圧がアドレス電極４１０に印加される状態では誘電膜４２０の厚さが厚いほど電界の強度が低くなり、電圧で発生する荷電粒子の量が少なくなる。そして、誘電膜４２０の厚さが薄くなるほど電界の強度が高くなって荷電粒子の量が多くなる。本発明によるプラズマディスプレイパネルは全ての放電セルのうち、緑色蛍光体が設けられた放電セルの誘電膜４２０の厚さが最も薄いため、緑色蛍光体が設けられた放電セルの電界が他の蛍光体が設けられた放電セルの電界より更に高い。従って、緑色蛍光体が形成された放電セルのプライミング効果が他の蛍光体が設けられた放電セルより更に高くなる。その結果、同一放電電圧が全ての放電セルに印加された場合、緑色蛍光体が設けられた放電セルの電界が他の蛍光体が設けられた放電セルの電界より更に強くなるから、緑色蛍光体の発光率が高くなる。
【００３６】
　（第５実施例）
　本発明の第５実施例によるプラズマディスプレイパネルの構造を図１０に基づいて説明する。本発明によるプラズマディスプレイパネルの隔壁の形態は従来のものと同一であるが、緑色蛍光体が設けられた放電セルの幅が他の蛍光体が設けられた放電セルの幅より広いように隔壁を形成する。即ち、赤色蛍光体が形成された放電セルは第１隔壁５２０と第２隔壁５１０を含んで構成され、第１隔壁５２０と第２隔壁５１０は所定の第１幅（Ｗ１）を置いて形成されている。青色蛍光体が形成された放電セルは第３隔壁５１０′と第４隔壁５２０′を含んで構成され、第３隔壁５１０′と第４隔壁５２０′は所定の第２幅（Ｗ２）を置いて形成されている。　この際、第１幅（Ｗ１）と第２幅（Ｗ２）は同一に構成しても良い。
【００３７】
　一方、緑色蛍光体が形成された放電セルは第２隔壁５１０と第３隔壁５１０′を含んで構成され、第２隔壁５１０と第３隔壁５１０′との間の間隔は第１幅（Ｗ１）と第２幅（Ｗ２）より更に広い第３幅（Ｗ３）から構成されている。即ち、緑色蛍光体が形成された放電セルの幅は他の蛍光体が形成された放電セルの幅より更に広い。この際、緑色蛍光体が形成された放電セルと他の蛍光体が形成された放電セルの幅の比率、つまり、第１幅（Ｗ１）と第３幅（Ｗ３）の比率、又は第２幅（Ｗ２）と第３幅（Ｗ３）の比率は０．５：１乃至０．９：１であることが好ましい。
【００３８】
　本発明の動作原理は以下の通りである。下部基板上の各アドレス電極５００に放電電圧が印加されると、維持電極（図示せず）と各アドレス電極５００との間で放電が起こる。この際、第１幅（Ｗ１）の放電セルと第２幅（Ｗ２）の放電セルより第３幅（Ｗ３）の放電セルに荷電粒子が更に多く形成される。即ち、同一電圧がアドレス電極５１０に印加される状態では放電セルの幅が狭いほど電界の強度が低くなって電圧で発生する荷電粒子の量が少なくなり、放電セルの幅が広いほど電界の強度が高くなって荷電粒子の量が多くなる。
【００３９】
　本発明によるプラズマディスプレイパネルは全ての放電セルのうち、緑色蛍光体が設けられた放電セルの幅が最も広いため、緑色蛍光体が設けられた放電セルの電界が他の蛍光体が設けられた放電セルの電界より更に高い。従って、緑色蛍光体が形成された放電セルのプライミング効果が他の蛍光体が設けられた放電セルより更に高くなり、その結果、同一放電電圧が全ての放電セルに印加された場合、緑色蛍光体が設けられた放電セルの電界が他の蛍光体が設けられた放電セルの電界より更に強くなるから、緑色蛍光体の発光率が高くなる。
【００４０】
　（第６実施例）
　本発明の第６実施例によるプラズマディスプレイパネルを図１１及び図１２に基づいて説明する。本発明のプラズマディスプレイパネルは、図１１に示すように、隔壁の形態を変形することで緑色蛍光体が形成された放電セルの幅を広めることもできる。
【００４１】
　図１１に示す本発明によるプラズマディスプレイパネルは赤色蛍光体が形成された第１放電セルの第１アドレス電極と青色蛍光体が形成された第２放電セルの第２アドレス電極との間に形成された第１隔壁６２０と、緑色蛍光体が形成された第３放電セルの第３アドレス電極と第１アドレス電極との間に、第１放電セルの側は突出して、第３放電セルの側は陥没するように形成された第２隔壁６１０と、そして、第３アドレス電極に隣接した第４アドレス電極と第３アドレス電極との間に形成された第３隔壁６１０′とを含んで構成されている。この際、第４アドレス電極と第３隔壁６１０′、そして、第４隔壁６２０′は第３放電セルに隣接した放電セルを形成している。
【００４２】
　まず、第１隔壁６２０は従来のプラズマディスプレイパネルに設けられた隔壁と同一である。即ち、青色蛍光体が設けられた放電セルと赤色蛍光体が設けられれた放電セルとの間の隔壁は全て同一の形態である。そして、第２隔壁６１０は第１隔壁６２０及び第４隔壁６２０′の形態と相違である。即ち、第２隔壁６１０はジグザグ状に曲がって突出した部分と陥没した部分が形成される。この際、第２隔壁６１０の突出した部分は赤色蛍光体が設けられた放電セル、又は青色蛍光体が設けられた放電セルの側に形成され、第２隔壁６１０の陥没した部分は緑色蛍光体が設けられた放電セルの側に形成される。その結果、緑色蛍光体が設けられた放電セルの平均の幅が他の蛍光体が設けれた放電セルの平均の幅より更に広くなるのである。
【００４３】
　本発明の最も好ましい形態は第３隔壁６１０′が第２隔壁６１０に対称となるよう突出した部分と陥没した部分が形成されることである。即ち、第３隔壁６１０′の突出した部分は赤色蛍光体が設けられた放電セル、又は青色蛍光体が設けられた放電セルに形成され、第３隔壁６１０′の陥没した部分は緑色蛍光体が設けられた放電セルに形成される。その結果、緑色蛍光体が設けられた放電セルの平均の幅が他の蛍光体が設けられた放電セルの平均の幅より更に広くなるのである。
【００４４】
　本発明によるプラズマディスプレイパネルの動作原理は以下の通りである。下部基板上の各アドレス電極６００に放電電圧が印加されると、維持電極（図示せず）と各アドレス電極６００との間で放電が起こる。この際、赤色蛍光体が設けられた放電セルと青色蛍光体が設けられた放電セルより緑色蛍光体が設けられた放電セルに荷電粒子が更に多く形成される。その理由は同一電圧がアドレス電極６１０に印加される状態では放電セルの幅が狭いほど電界の強度が低くなって電圧で発生する荷電粒子の量が少なくなり、放電セルの幅が広いほど電界の強度が高くなって荷電粒子の量が多くなるが、緑色蛍光体が形成された放電セルはジグザグ状に陥没した部分と突出した部分によって、他の蛍光体が形成された放電セルより幅が更に広いからである。従って、緑色蛍光体が形成された放電セルのプライミング効果が他の蛍光体が設けられた放電セルより更に高くなり、その結果、同一放電電圧が全ての放電セルに印加された場合、緑色蛍光体が設けられた放電セルの電界が他の蛍光体が設けられた放電セルの電界より更に強くなるから、緑色蛍光体の発光率が高くなる。
【００４５】
　本発明の第１乃至第６実施例によるプラズマディスプレイパネルは、上述したように、緑色蛍光体の発光率が高くなるため、図１３のように、緑色に対するエージング電圧が赤色及び青色蛍光体と同一水準に降下する。
【図面の簡単な説明】
【００４６】
【図１ａ】一般のプラズマディスプレイパネルの構造を示す斜視図。
【図１ｂ】前記図１ａに示すプラズマディスプレイパネルの構造を示す断面図。
【図２ａ】上部基板に設けられた維持電極の構造を示す平面図。
【図２ｂ】上部基板に設けられた維持電極の構造を示す断面図。
【図３ａ】放電区間で放電セルの動作を示す図面。
【図３ｂ】放電区間で放電セルの動作を示す図面。
【図３ｃ】放電区間で放電セルの動作を示す図面。
【図３ｄ】放電区間で放電セルの動作を示す図面。
【図４ａ】一般的方法によるプラズマディスプレイパネルの製造工程を示す図面。
【図４ｂ】一般的方法によるプラズマディスプレイパネルの製造工程を示す図面。
【図４ｃ】一般的方法によるプラズマディスプレイパネルの製造工程を示す図面。
【図５】従来のプラズマディスプレイパネルの製造中に印加されるエージング電圧の調整範囲を示すグラフ。
【図６ａ】本発明の第１実施例によるプラズマディスプレイパネルの構造を示す図面。
【図６ｂ】本発明の第１実施例によるプラズマディスプレイパネルの構造を示す図面。
【図６ｃ】本発明の第１実施例によるプラズマディスプレイパネルの構造を示す図面。
【図７】本発明の第２実施例によるプラズマディスプレイパネルの構造を示す図面。
【図８】本発明の第３実施例によるプラズマディスプレイパネルの構造を示す図面。
【図９】本発明の第４実施例によるプラズマディスプレイパネルの構造を示す図面。
【図１０】本発明の第５実施例によるプラズマディスプレイパネルの構造を示す図面。
【図１１】本発明の第６実施例によるプラズマディスプレイパネルの構造を示す図面。
【図１２】本発明の第６実施例に適用され得る隔壁の多様な形態を示す図面。
【図１３】本発明の第１乃至第６実施例によるプラズマディスプレイパネルの製造中に印加されるエージング電圧の調整範囲を示すグラフ。
【符号の説明】
【００４７】
１０１、１０２、１０３　アドレス電極
１１０　隔壁
１２０、１２０′　維持電極
１２１、１２１′　バス電極
１２２、１２２′、１２３、１２３′　突出部
【図１ａ】
2004095559.tif 000003
【図１ｂ】
2004095559.tif 000004
【図２ａ】
2004095559.tif 000005
【図２ｂ】
2004095559.tif 000006
【図３ａ】
2004095559.tif 000007
【図３ｂ】
2004095559.tif 000008
【図３ｃ】
2004095559.tif 000009
【図３ｄ】
2004095559.tif 000010
【図４ａ】
2004095559.tif 000011
【図４ｂ】
2004095559.tif 000012
【図４ｃ】
2004095559.tif 000013
【図５】
2004095559.tif 000014
【図６ａ】
2004095559.tif 000015
【図６ｂ】
2004095559.tif 000016
【図６ｃ】
2004095559.tif 000017
【図７】
2004095559.tif 000018
【図８】
2004095559.tif 000019
【図９】
2004095559.tif 000020
【図１０】
2004095559.tif 000021
【図１１】
2004095559.tif 000022
【図１２】
2004095559.tif 000023
【図１３】
2004095559.tif 000024